(57)【要約】【課題】金属部品に対して直接貼付したＲＦＩＤタグを読むことができるＲＦＩＤリーダを提供することを目的とする。【解決手段】ＩＣチップを搭載したアンテナが外皮フィルムでラミネートされたフレキシブルなインレット１が金属パイプ２０に貼り付けられている。ＲＦＩＤリーダ１０は、主アンテナ１１の電波放射面１１ａに、インレット１とほぼ同じ大きさの補助アンテナ１２が設置されている。インレット１を読み込む際に、補助アンテナ１２は、インレット１の長手方向の両端に行くにしたがってインレット１の表面から離れる方向になっている。ＲＦＩＤリーダの主アンテナから放射される質問波（電波）はインレットの両端部分に到達する。質問波に応答してインレットの両端部分から放射される応答波は補助アンテナに到達し、補助アンテナの電波増幅作用によってＲＦＩＤタグとＲＦＩＤリーダとの間の通信距離を延ばすことができる。【選択図】図１
2008301151.tif 000002
【特許請求の範囲】
【請求項１】
ＩＣチップを搭載したアンテナを有してなり、表面が湾曲状の金属部材に搭載されたインレットと送受信するＲＦＩＤリーダであって、
前記インレットに対向する前記ＲＦＩＤリーダのアンテナ部の電波放射面に、平面状の金属箔を有する
ことを特徴とするＲＦＩＤリーダ。
【請求項２】
前記金属箔は、前記インレットの湾曲部分の頂点において略接線方向に配置することにより、前記インレットと送受信する
ことを特徴とする請求項１に記載のＲＦＩＤリーダ。
【請求項３】
前記金属箔は、前記インレットに対向する側の面に、所望の誘電率を有する誘電体を有する
ことを特徴とする請求項２に記載のＲＦＩＤリーダ。
【請求項４】
前記金属箔は、前記電波放射面に対向する側の面に、所望の誘電率を有する誘電体を有する
ことを特徴とする請求項３に記載のＲＦＩＤリーダ。
【請求項５】
ＩＣチップを搭載したアンテナを有してなり、平面状の金属面に搭載されるインレットと送受信するＲＦＩＤリーダであって、
前記インレットに対向する前記ＲＦＩＤリーダ用アンテナ部の電波放射面に、長手方向の少なくとも一方の先端部分に行くにしたがって前記インレットの表面から離れる方向に湾曲状に形成される、金属箔を有する
ことを特徴とするＲＦＩＤリーダ。
【請求項６】
前記金属箔は、前記インレットに対向する側の面に、所望の誘電率を有する誘電体を有する
ことを特徴とする請求項５に記載のＲＦＩＤリーダ。
【請求項７】
前記金属箔は、前記電波放射面に対向する側の面に、所望の誘電率を有する誘電体を有する
ことを特徴とする請求項６に記載のＲＦＩＤリーダ。
【請求項８】
ＩＣチップを搭載したアンテナを有してなり、表面が湾曲状の金属部材に搭載されたインレットと送受信するＲＦＩＤリーダであって、
前記インレットに対向する前記ＲＦＩＤリーダ用アンテナ部の電波放射面に、長手方向の少なくとも一方の先端部分に行くにしたがって前記インレットの表面から離れる方向に湾曲状に形成される、金属箔を有する
ことを特徴とするＲＦＩＤリーダ。
【請求項９】
ＩＣチップを搭載したアンテナを有してなり、金属部材に搭載されたインレットと送受信するＲＦＩＤリーダであって、
前記ＲＦＩＤリーダ用アンテナ部の電波放射面に金属箔を有し、前記インレットと前記金属箔の少なくとも一方に、受信面から裏面側に曲がる曲部を構成する
ことを特徴とするＲＦＩＤリーダ。
【発明の詳細な説明】
【技術分野】
【０００１】
本発明は、ＩＣチップに記録されたＩＤ（Identification：識別情報）などの情報をＲＦ(Radio Frequency:無線周波数)で送信するＲＦＩＤ(Radio Frequency Identification)タグを読むことができるＲＦＩＤリーダに関し、特に、金属面に装着したＲＦＩＤタグを読むことができるＲＦＩＤリーダに関する。
【背景技術】
【０００２】
汎用的なＲＦＩＤタグは、ＩＣチップを搭載した小型アンテナがフィルムでラミネートされて薄型かつフレキシブルに構成されている。したがって、このようなフレキシブルなＲＦＩＤタグは、様々な形状の部品に対して容易に貼付することができるので、リーダライタによって、例えば４０ｍｍ以内でＲＦＩＤタグをかざせば、ＩＣチップに記録されている部品情報を非接触で読み取ることができる。例えば、生産現場などにおいて、組立部品に対応した帳票に貼付されているＲＦＩＤタグに各部品の属性などを記録しておけば、製品の製造履歴などを管理することができる（例えば、特許文献１参照）。
【特許文献１】特開２００５−１４９００４号公報（段落００１１〜００１３、図１、図２）
【発明の開示】
【発明が解決しようとする課題】
【０００３】
しかしながら、生産現場などにおいては、フレキシブルなＲＦＩＤタグを帳票に貼付するのではなく、組立部品に直接貼付したいという要求もある。ところが、生産現場などで組み立てられる部品は非金属部品もあれば金属部品もある。金属部品に対して上記のようなフレキシブルなＲＦＩＤタグを直接貼付した場合は、リーダライタからＲＦＩＤタグ内の小型アンテナへ放射される電波は殆んど金属部品に吸収されてしまい、ＲＦＩＤタグ内の小型アンテナから外部へ放射される電波は著しく低下してしまう。したがって、ＲＦＩＤタグの電界強度が著しく弱くなって通信距離が低下するので、リーダライタをＲＦＩＤタグに接触させてもＩＣチップの情報を読み取ることができない。
【０００４】
また、ＲＦＩＤタグの表面にほぼ同じ大きさの金属箔を搭載して、この金属箔を補助アンテナとして構成したＲＦＩＤタグも知られているが、このような補助アンテナを設けたＲＦＩＤタグを非金属部品に貼付した場合は、補助アンテナの電波増幅作用によってＲＦＩＤタグとリーダライタとの間の通信距離は、例えば１４０ｍｍぐらいに著しく延びる。しかし、表面に補助アンテナを設けたＲＦＩＤタグを金属部品に貼付した場合は、ＲＦＩＤタグ内の小型アンテナが金属部品の金属面と補助アンテナとで覆われてシールドされてしまうので、リーダライタからの電波は殆んどＲＦＩＤタグ内の小型アンテナへ到達しない。その結果、小型アンテナから補助アンテナへは、殆んど電波が放射されないので、補助アンテナの電波増幅作用が殆んど行われなくなってＲＦＩＤタグの通信距離が著しく低下し、前記のフレキシブルなＲＦＩＤタグと同様、リーダライタを補助アンテナに接触させてもＩＣチップの情報を読み取ることができない。
【０００５】
なお、組立部品の中には表面が湾曲状になった部品も存在するが、ＲＦＩＤタグのフレキシブル性を利用すれば表面が湾曲状の部品に対しても容易に貼付することができる。しかし、表面が湾曲状の金属部品にフレキシブルなＲＦＩＤタグを直接貼付した場合においても、補助アンテナがあるか否かに関わらずそのＲＦＩＤタグの通信距離は著しく低下する。
【０００６】
本発明は、前記のような問題点に鑑みてなされたものであり、表面が湾曲状または平面状の金属部品に対して直接貼付したＲＦＩＤタグを読むことができるＲＦＩＤリーダを提供することを目的とする。
【課題を解決するための手段】
【０００７】
前記の目的を達成するために、本発明のＲＦＩＤリーダは、ＩＣチップを搭載したアンテナがフィルムでラミネートされて表面が湾曲状の金属部材に搭載されたインレット（例えば、インレット１）と送受信するＲＦＩＤリーダであって、インレットに対向するＲＦＩＤリーダのアンテナ部の電波放射面（例えば、電波放射面１１ａ）に、平面状の金属箔（例えば、補助アンテナ１２）を有することを特徴とする。
【０００８】
また、本発明のＲＦＩＤリーダは、ＩＣチップを搭載したアンテナがフィルムでラミネートされて平面状の金属面に搭載されるインレットと送受信するＲＦＩＤリーダであって、インレットに対向するＲＦＩＤリーダ用アンテナ部の電波放射面に、長手方向の少なくとも一方の先端部分に行くにしたがってインレットの表面から離れる方向に湾曲状に形成される、金属箔を有することを特徴とする。
【発明の効果】
【０００９】
本発明のＲＦＩＤリーダによれば、表面が湾曲状または平面状の金属部品に対して直接貼付したＲＦＩＤタグを所望の通信距離を確保して読むことができる。
【発明を実施するための最良の形態】
【００１０】
《発明の概要》
以下、図面を参照しながら、本発明を実施するための最良の形態（以下、「実施形態」という。）に係るＲＦＩＤリーダについて好適な例をあげて説明するが、理解を容易にするために、まず、本発明におけるＲＦＩＤリーダの概要について説明する。
【００１１】
本発明のＲＦＩＤリーダは、ＩＣチップの搭載されたアンテナがフィルムでラミネートされた薄くてフレキシブルなインレットを湾曲状の金属パイプなどに貼り付けた際のＲＦＩＤリーダであり、ＲＦＩＤリーダの主アンテナ（第１のアンテナ）の前面に、主アンテナの表面（つまり、電波放射面）に対してインレットとほぼ同じ大きさの金属箔（補助アンテナ）を設けた。これによって、使用者などがＲＦＩＤリーダによってＲＦＩＤタグを読もうとするとき、電界強度の強いインレットの両端部分においてインレットが金属パイプと補助アンテナによってシールドされないように所望の隙間が形成される。したがって、ＲＦＩＤリーダの主アンテナから放射される電波（質問波）はインレットの両端部分に到達する。質問波に応答してインレットの両端部分から放射される電波（応答波）は補助アンテナに到達し、補助アンテナの電波増幅作用によってＲＦＩＤタグとＲＦＩＤリーダとの間の通信距離を延ばすことができる。
【００１２】
以下、図面を参照しながら、本発明におけるＲＦＩＤリーダの実施形態の幾つかについて詳細に説明する。
【００１３】
《第１の実施形態》
図１は、本発明におけるＲＦＩＤリーダを用いてＲＦＩＤタグを読む場合を示す説明図である。ＲＦＩＤリーダ１０の主アンテナ１１の電波放射面１１ａに補助アンテナ１２を設けている。補助アンテナ１２は、金属箔（例えば、アルミニウム箔）で形成される。読取対象であるＲＦＩＤタグ（以下、インレットという。）１は、湾曲状の金属パイプ２０に貼り付けられている。インレット１の構成については、図２および図３において説明する。なお、ここで言うインレット１とは、前記の背景技術で述べたフレキシブルなＲＦＩＤタグと同じ構成のものである。
【００１４】
図２は、ＲＦＩＤタグであるインレットの内部を示す構造図である。図２（ａ）はインレット１を分解した状態を示す斜視図、（ｂ）はインレット１の上面図である。また、図３は、図２（ｂ）のＡ−Ａ断面図において表面を外皮フィルム５でラミネートした状態を示すインレット１の完成図である。
【００１５】
図２に示すインレット１の内部構成は、ポリイミド樹脂などの樹脂材料からなる厚さが０．１ｍｍ程度の基板フィルム２の上面に、錫メッキなどを施した銅箔製のアンテナ３が形成されている。なお、アンテナ３は厚さが数十ミクロン程度であるので、基板フィルム２の上面に金属蒸着を施すことによってアンテナ３を形成することも可能である。このアンテナ３の中央部付近にはインピーダンスマッチング用のスリット３ａが形成され、このスリット３ａを跨ぐようにしてＩＣチップ４が搭載されている。
【００１６】
すなわち、アンテナ３の中央部における給電部分には、ＩＣチップ４とアンテナ３との間でインピーダンスマッチングを行うためのかぎ状（Ｌ字型）のスリット３ａが形成され、このスリット３ａでかぎ状に囲われた部分がスタブとして形成される。また、ＩＣチップ４には、スリット３ａを跨ぐような間隔で複数の電極が形成されている。そして、スリット３ａを跨ぐようにしてＩＣチップ４の各電極を接続すると、スリット３ａでかぎ状に囲われたスタブが、アンテナ３とＩＣチップ４の間に直列に接続されることになる。アンテナ３とＩＣチップ４との間では、スタブが直列のインダクティブ成分として作用する。したがって、このインダクティブ成分によってＩＣチップ４内のキャパシティブ成分が相殺され、アンテナ３とＩＣチップ４のインピーダンスがマッチング（整合）される。
【００１７】
前記のようにアンテナ３にインピーダンスマッチング用のスリット３ａを形成することにより、アンテナ３をダイポールアンテナで形成した場合、電波周波数の波長をλとしたときにアンテナ３の長さは、電気的長さがλ／４ぐらいでも通信距離は数センチメートル以上を確保することができる。例えば、周波数が２．４５ＧＨｚの電波を使用した場合のアンテナ３の長さは３０ｍｍ程度であっても４０ｍｍ程度の通信距離を実現することができる。なお、アンテナ３の幅は、特に制約はないが、例えば２ｍｍ程度になっている。
【００１８】
なお、図２のように基板フィルム２とアンテナ３とＩＣチップ４で積層されたエレメントは、図３に示すように外皮フィルム５によってラミネートされてインレット１を構成している。したがって、図３に示すように、基板フィルム２とアンテナ３とＩＣチップ４が外皮フィルム５でラミネートされたインレット１の大きさは、例えば、幅が３ｍｍ、長さが３５ｍｍ、厚さが０．６ｍｍ程度になっている。
【００１９】
図３のように構成されたインレット１を金属パイプ２０（図１参照）の上に直接搭載すると、従来のＲＦＩＤリーダによれば、インレット１へ放射された電波は殆んど金属パイプ２０で吸収されるかまたは金属パイプ２０で乱反射されるためにインレット１内のアンテナ３へ到達しない。したがって、インレット１のアンテナ３から外部へは殆んど電波が飛ばない。そのため、インレット１とＲＦＩＤリーダの通信距離は殆んど零（ぜろ）である。
【００２０】
また、インレット１を金属パイプ２０上に直接搭載し、そのインレット１の反対側の面にインレット１とほぼ同じ大きさの補助アンテナを搭載した場合についても、インレット１の内部のアンテナ３が金属パイプ２０と補助アンテナとによってシールドされてしまうので、ＲＦＩＤリーダからインレット１へは電波が殆んど到達しない。したがって、インレット１のアンテナ３から外部へは殆んど電波が飛ばないために、インレット１とＲＦＩＤリーダの通信距離は殆んど零である。そこで、本発明の第１の実施形態に係るＲＦＩＤリーダ１０では、図１に示すように、ＲＦＩＤリーダ１０の主アンテナ１１の電波放射面１１ａに補助アンテナ１２を設け、補助アンテナ１２の形状を工夫してインレット１の通信距離を延ばすことを実現した。
【００２１】
図４は、本発明の第１の実施形態におけるＲＦＩＤリーダおよびインレットを示す断面図である。適宜図１および図３を参照して説明する。図４に示すように、ＲＦＩＤリーダ１０の主アンテナ１１の電波放射面１１ａに補助アンテナ１２を設けている。一方、インレット１は、金属パイプ２０の湾曲状の表面に貼り付けている。ＲＦＩＤリーダ１０を用いてインレット１を読む場合（送受信する場合）、補助アンテナ１２をインレット１の湾曲部分の頂点において略接線方向に対向させる。これにより、補助アンテナ１２とインレット１の間にはインレット１の頂点の部分と比較して、両端部分の隙間ａが大きく生じる。
【００２２】
ここで、補助アンテナ１２をインレット１の湾曲部分の頂点において略接線方向に対向させる理由について説明する。インレット１を形成するアンテナ３は、中心部分に給電点が存在するので、アンテナ３の中心部分は、電圧が低いために電界強度も弱い。しかし、アンテナ３の両端部分は、電圧が高いために電界強度も強い。そのため、電界強度の強いアンテナ３の両端部分において、アンテナ３と補助アンテナ１２の間に所望の隙間ａを設ければ、ＲＦＩＤリーダ１０から放射される電波（質問波）はアンテナ３の両端部分に到達する。すると、質問波に応答して、アンテナ３の両端部分から放射される電界強度の強い電波（応答波）は補助アンテナ１２に到達する。ここで、補助アンテナ１２は電波増幅作用を呈するので、補助アンテナ１２から放射された電波の電界強度はさらに強くなり、その結果、ＲＦＩＤリーダ１０とインレット１との間の通信距離（例えば、Ｈ）が延びる。あるいは、読み取り（通信）不可能であったものが読み取り（通信）可能になる。
【００２３】
言い換えると、電界強度の強いアンテナ３の両端部付近においては、アンテナ３と補助アンテナ１２は、空気やエポキシ樹脂などの誘電体による隙間ａを介して比較的隔てられているので、アンテナ３の両端部付近から放射された強い電波は、シールドされることなく、補助アンテナ１２へ放射される。さらに、金属板２１で反射された電波（応答波）も補助アンテナ１２へ放射される。これによって、補助アンテナ１２が、アンテナ３から直接放射された電波（応答波）と金属板２１から反射された電波（応答波）との電波増幅作用を行うことで強い電界強度となるために通信距離を延ばすことができる。
【００２４】
図５は、本発明の第１の実施形態におけるＲＦＩＤリーダおよびインレットを示す他の断面図である。図５に示すように、補助アンテナ１２に誘電体１３を設けた場合である。誘電体１３を設けることにより、ＲＦＩＤタグの通信距離を延ばすことができる。すなわち、誘電体１３の誘電率によって波長短縮効果を呈するので、インレット１に内蔵されたアンテナ３（図１参照）の物理的長さ（つまり、実際の長さ）は、電気的長さλ／４より短くなるが、電気的長さはλ／４を維持している。なお、λは使用電波の波長である。
【００２５】
例えば、電波周波数が２．４５ＧＨｚであって、誘電体１３がない場合において、アンテナ３の電気的長さがλ／４のときの物理的長さは３０ｍｍであるとしたとき、誘電体１３を配置した場合において、その誘電体１３の誘電率による波長短縮効果によって波長λが１／２に短縮したとすると、アンテナ３の電気的長さをλ／４に保持しても物理的長さは１５ｍｍとなる。
【００２６】
言いかえると、図５のように誘電体１３を配置することによって、アンテナ３の物理的長さは１５ｍｍで電気的長さλ／４を維持して、例えば、５０ｍｍの通信距離を確保できるところを、実際にはアンテナ３の物理的長さは３０ｍｍになっているので、波長短縮効果による電気的長さはλ／２まで長くなったことになる。したがって、アンテナ３の電気的長さはλ／４からλ／２に延びたことになるので、通信距離は５０ｍｍよりさらに延びることになる。つまり、誘電体１３の誘電率が大きいほど、大きな波長短縮効果を呈して通信距離を延ばす方向に作用する。例えば、誘電体１３として、比誘電率が２の発泡ポリプロピレン、比誘電率が３．６のガラスエポキシなどを用いることが好ましい。
【００２７】
図６は、本発明の第１の実施形態におけるＲＦＩＤリーダおよびインレットを示すその他の断面図である。図６に示すように、補助アンテナ１２を包み込むようにして誘電体１４を設けた場合である。本実施形態においては、図５に示した実施形態と同様に、誘電体１４を設けることにより、ＲＦＩＤタグの通信距離を延ばすことができる。
【００２８】
《第２の実施形態》
第２の実施形態では、表面が平面状の金属部品に対して直接貼付したインレット１を所望の通信距離を確保して読むことができるようにするため、補助アンテナ１２を湾曲させた場合について説明する。
【００２９】
図７は、本発明の第２の実施形態におけるＲＦＩＤリーダおよびインレットを示す断面図である。適宜図２、図３を参照して説明する。すなわち、図２に示すフレキシブルなインレット１を金属板２１の表面に貼り付けている。一方、ＲＦＩＤリーダ１０の補助アンテナ１２は、インレット１のアンテナ３（図２参照）とほぼ同じ長さと幅の金属箔で形成されている。しかも、この補助アンテナ１２は、ＲＦＩＤリーダ１０によって、インレット１を読み込む際に、インレット１のアンテナ３と平行に配置されているのではなく、誘電体１５の上にアンテナ３の長手方向の両端に行くにしたがってアンテナ３の表面から離れる方向に湾曲状に形成したことに特徴がある。
【００３０】
ここで、補助アンテナ１２を湾曲させた理由について説明する。インレット１を形成するアンテナ３は、中心部分に給電点が存在するので、アンテナ３の中心部分は、電圧が低いために電界強度も弱い。しかし、アンテナ３の両端部分は、電圧が高いために電界強度も強い。そのため、電界強度の強いアンテナ３の両端部分において、アンテナ３が金属板２１と補助アンテナ１２によってシールドされないように湾曲にすれば（つまり、アンテナ３と補助アンテナ１２の間に所望の隙間ａを設ければ）、ＲＦＩＤリーダ１０から放射された電波はアンテナ３の両端部分に到達する。したがって、アンテナ３の両端部分から放射された電界強度の強い電波は補助アンテナ１２に到達する。これによって、補助アンテナ１２は電波増幅作用を呈するので、補助アンテナ１２から放射された電波の電界強度はさらに強くなり、その結果、ＲＦＩＤリーダ１０とインレット１との間の通信距離が延びる。
【００３１】
言い換えると、電界強度の強いアンテナ３の両端部付近においては、アンテナ３と補助アンテナ１２は、空気やエポキシ樹脂などの誘電体による隙間ａを介して比較的隔てられているので、アンテナ３の両端部付近から放射された強い電波（応答波）は、シールドされることなく、補助アンテナ１２へ放射される。さらに、金属板２１で反射された電波（応答波）も補助アンテナ１２へ放射される。これによって、補助アンテナ１２が、アンテナ３から直接放射された電波と金属板２１から反射された電波との電波増幅作用を行うことで強い電界強度となるために通信距離を延ばすことができる。
【００３２】
さらに、補助アンテナ１２が湾曲状になっていることによって、補助アンテナ１２から外部へ放射された電波は補助アンテナ１２の中心線方向へ収斂（しゅうれん）していくので、所定の距離においては電界強度がさらに強くなる。そのため、ＲＦＩＤリーダ１０を電波が収斂する位置付近におけば、リーダライタは比較的強い電波を受信することができるので、より確実にＲＦＩＤタグの情報を読み取ることができる。
【００３３】
図８は、本発明の第２の実施形態におけるＲＦＩＤリーダおよびインレットを示す他の断面図である。図８に示すように、補助アンテナ１２を包み込むようにして誘電体１６を設けた場合である。本実施形態においては、図５に示した実施形態と同様に、誘電体１６を設けることにより、ＲＦＩＤタグの通信距離を延ばすことができる。
【００３４】
本発明のＲＦＩＤリーダ１０は、ＩＣチップ４の搭載されたアンテナ３がフィルムでラミネートされた薄くてフレキシブルなインレット１を湾曲状の金属パイプ２０などに貼り付けた際のＲＦＩＤリーダ１０であり、ＲＦＩＤリーダ１０の主アンテナ１１の前面に、主アンテナ１１の表面（つまり、電波放射面１１ａ）に対してインレット１とほぼ同じ大きさの金属箔（補助アンテナ１２）を設けた。これにより、インレット１と補助アンテナ１２の長手方向の先端部分との間に所望の隙間ａを形成している。従って、インレット１の先端部分で送受信される電波はシールドされることがないので、インレット１の先端部分からの電波は効果的に補助アンテナ１２へ放射される。したがって、補助アンテナ１２の電波増幅作用によって通信距離を延ばすことができる。つまり、本発明のＲＦＩＤリーダ１０によれば、インレット１を湾曲状の金属パイプ２０に貼り付けたときは補助アンテナ１２を平面状にすることによって所望の隙間ａを形成し、インレット１を平面状の金属部品に貼り付けたときは補助アンテナ１２を湾曲状にすることによって所望の隙間ａを形成することができるので、表面が平面または湾曲な金属部品に対してインレット１を直接貼付しても、所望の通信距離を確保することが可能となる。したがって、電力会社やガス会社などにおいて金属配管や電力ケーブルなどに貼付して配管や配線を管理するために有効に利用することができる。
【００３５】
実施形態では、ＲＦＩＤリーダとして説明したが、本発明をＲＦＩＤリーダライタに適用してもよい。また、実施形態では、ラミネートされたインレットを示したが、ラミネートされている必要はない。つまり、図２において、符号５で示される外皮フィルムは必須ではない。但し、アンテナに搭載されたＩＣチップを保護する表面側（ＲＦＩＤリーダ側）のフィルム（保護膜）はあった方が好ましい。
【００３６】
また、実施形態の変形として、表面が湾曲状の金属部材に搭載されたインレット１と送受信するＲＦＩＤリーダ１０は、インレット１に対向するＲＦＩＤリーダ用の主アンテナ１１の電波放射面１１ａに、長手方向の少なくとも一方の先端部分に行くにしたがってインレット１の表面から離れる方向に湾曲状に形成される、金属箔（補助アンテナ１２）を設けてもよい。
【００３７】
すなわち、本発明のＲＦＩＤリーダ１０は、金属部材に搭載されたインレット１と送受信するＲＦＩＤリーダであって、ＲＦＩＤリーダ１０の主アンテナ１１の電波放射面１１ａに金属箔（補助アンテナ１２）を有し、インレット１と金属箔の少なくとも一方に、受信面から裏面側に曲がる曲部を構成しているので、金属部品に対してインレット１を直接貼付しても、所望の通信距離を確保することが可能となる。
【図面の簡単な説明】
【００３８】
【図１】本発明におけるＲＦＩＤリーダを用いてＲＦＩＤタグを読む場合を示す説明図である。
【図２】ＲＦＩＤタグであるインレットの内部を示す構造図である。
【図３】図２（ｂ）のＡ−Ａ断面図において表面を外皮フィルムでラミネートした状態を示すインレットの完成図である。
【図４】本発明の第１の実施形態におけるＲＦＩＤリーダおよびインレットを示す断面図である。
【図５】本発明の第１の実施形態におけるＲＦＩＤリーダおよびインレットを示す他の断面図である。
【図６】本発明の第１の実施形態におけるＲＦＩＤリーダおよびインレットを示すその他の断面図である。
【図７】本発明の第２の実施形態におけるＲＦＩＤリーダおよびインレットを示す断面図である。
【図８】本発明の第２の実施形態におけるＲＦＩＤリーダおよびインレットを示す他の断面図である。
【符号の説明】
【００３９】
１    インレット
２    基板フィルム
３    アンテナ
３ａ    スリット
４    ＩＣチップ
５    外皮フィルム
１０    タグリーダライタ
１１    主アンテナ
１１ａ    電波放射面
１２    補助アンテナ（金属箔）
２０    金属パイプ
ａ    隙間
【図１】
2008301151.tif 000003
【図２】
2008301151.tif 000004
【図３】
2008301151.tif 000005
【図４】
2008301151.tif 000006
【図５】
2008301151.tif 000007
【図６】
2008301151.tif 000008
【図７】
2008301151.tif 000009
【図８】
2008301151.tif 000010